(57)【要約】【課題】画像読取装置、画像形成装置の利便性を向上させること。【解決手段】両面同時読取モード、両面反転読取モードの何れかの読取モードで原稿の両面の読み取りを行う画像読取装置、画像形成装置において、原稿の読み取り途中での読取モードの切り替えを許可する。具体的には、制御部は原稿の読み取り途中に表示される表示画面に読取モードの切り替えの指示を受け付けるモード切替キーを表示させる。原稿読み取りの途中にモード切替キーが操作されたら、制御部は読取モードを切り替えて、切り替えた読取モードに従って原稿の読み取りを続行する。【選択図】図９
2009088597.tif 000002
【特許請求の範囲】
【請求項１】
給紙された原稿の一方の面を読み取る第１読取手段と、
前記原稿の他方の面を読み取る第２読取手段と、
前記第１読取手段による前記原稿の一方の面の読み取りが終わった後、前記第１読取手段が該原稿の他方の面を読み取り可能なように該原稿を反転して給紙する反転手段と、
前記第１読取手段が前記原稿の一方の面を読み取り、前記反転手段による該原稿の反転後に前記第１読取手段が該原稿の他方の面を読み取る両面反転読取モードと、前記第１読取手段が前記原稿の一方の面を読み取り、前記第２読取手段が該原稿の他方の面を読み取る両面同時読取モードのうち、何れか一方の読取モードを設定するモード設定手段と、
前記モード設定手段によって設定された読取モードに従って、前記第１読取手段、前記第２読取手段及び前記反転手段に対して前記原稿の読み取りに関する制御を行う読取制御手段と、
前記原稿の読み取りが行われている時、前記モード設定手段によって設定された読取モードと異なるもう一方の読取モードへの切り替えを指示する入力を受け付けるモード切替入力手段と、
を備え、
前記読取制御手段は、前記モード切替入力手段による前記指示入力の受付に応答して前記モード設定手段によって設定された読取モードと異なるもう一方の読取モードに切り替え、該切り替えた読取モードに従って前記第１読取手段、前記第２読取手段及び前記反転手段に対して前記原稿の読み取りに関する制御を行うことを特徴とする画像読取装置。
【請求項２】
前記第１読取手段は縮小光学系イメージセンサを有し、前記第２読取手段は密着光学系イメージセンサを有することを特徴とする請求項１に記載の画像読取装置。
【請求項３】
前記第１読取手段、前記第２読取手段によって前記原稿の読み取りが行われている時の前記読取モードの切り替えの許可又は不許可を設定する切替許可設定手段を更に備え、
前記切替許可設定手段の設定が前記読取モードの切り替えを許可している場合、前記モード切替入力手段は前記読取モードの切り替えの指示入力を受け付け、前記切替許可設定手段の設定が前記読取モードの切り替えを許可していない場合、前記モード切替入力手段は前記読取モードの切り替えの指示入力を受け付けないことを特徴とする請求項１又は２に記載の画像読取装置。
【請求項４】
前記モード設定手段によって前記両面同時読取モードが設定されているとき、前記切替許可設定手段は前記読取モードの切り替えを許可しない設定にすることを特徴とする請求項３に記載の画像読取装置。
【請求項５】
前記切替許可設定手段は、前記読取モードの切り替えの許可又は不許可の選択入力を受け付け、該選択入力に応じて前記原稿の読み取りが行われているときの前記読取モードの切り替えの許可又は不許可を設定するものであることを特徴とする請求項３又は４に記載の画像読取装置。
【請求項６】
請求項１から５の何れか一項に記載の画像読取装置と、
前記第１読取手段及び前記第２読取手段によって取得された画像データに基づいて記録媒体に画像を形成する画像形成手段と、
を備えた画像形成装置。
【請求項７】
請求項３に記載の画像読取装置と、
前記第１読取手段及び前記第２読取手段によって得られた画像データに基づいて白黒画像又はカラー画像を記録媒体に形成する画像形成手段と、
を備え、前記画像形成手段によって前記白黒画像が形成され、且つ前記モード設定手段によって前記両面同時読取モードが設定されているとき、前記切替許可設定手段は前記読取モードの切り替えを許可しない設定にすることを特徴とする画像形成装置。
【発明の詳細な説明】
【技術分野】
【０００１】
本発明は、原稿の両面を読み取ることが可能な画像読取装置、及びこの画像読取装置を備えた画像形成装置に関するものである。
【背景技術】
【０００２】
従来、複写機やファクシミリ等が有するＡＤＦ（Automatic Document Feeder：自動原稿送り機能）を備えた画像読取装置において、画像読取部に原稿の表面及び裏面を自動的に読み取らせる方法として、原稿の表面の画像をイメージセンサが読み取った後、その原稿の表裏を反転させて、裏面の画像を再度イメージセンサが読み取る方法が広く採用されている。しかしこの方法は、イメージセンサが原稿の表面を読み取った後、一旦原稿が外部に排出されて表裏反転され、再度イメージセンサが原稿の裏面を読み取るため、両面の読み取りに時間がかかっていた。
【０００３】
そこで、特許文献１に記載されているように、原稿トレイからの原稿搬送路において原稿の表裏両面側にそれぞれイメージセンサを設けることで、原稿を反転させることなく１回の原稿給紙（ワンパス）で原稿の両面をほぼ同時に読み取る方法が知られている。このように原稿の両面をほぼ同時に読み取る方法を採用した画像読取装置では、原稿の表面の読み取りは縮小光学系イメージセンサが用いられる場合が多く、原稿の裏面の読み取りは、設置スペース、コスト等の関係上、密着光学系イメージセンサが用いられる場合が多い。しかし、原稿の表裏面を読み取るイメージセンサの光学的構成が異なると、印刷用紙の表裏面に形成された画像の画質に差が生じてしまう。
【０００４】
従って、以上のような画像読取装置においては、ユーザが原稿の両面の読取方法を選択できるようになっている。つまり、原稿の表裏面を別々に読み取るため画像の読み取りには時間がかかるが、印刷用紙の表裏面の画質を同一にするために同じイメージセンサ（縮小光学系イメージセンサ）で原稿の表裏面を読み取らせるモードと、画像の読取時間を短縮するために原稿の表裏面を縮小光学系と密着光学系の２つのイメージセンサを用いてほぼ同時に読み取らせるモードの２つの読取モードを設けて、ユーザが２つの読取モードを状況に応じて任意に選択できるようになっている。
【特許文献１】特開２００４−１５２９９号公報
【発明の開示】
【発明が解決しようとする課題】
【０００５】
画像読取装置によって原稿の読み取りが行われている最中、ユーザは当初選択した読取モードとは別の読取モードで読み取りを行わせたいと思う場合がある。例えば、最初は両面反転読取モードで原稿の読み取りを行わせていたが、途中でユーザが読取時間を短縮させたくなり、両面同時読取モードに変更したいケースが発生しうる。しかしながら、特許文献１には、原稿の読み取り途中での読取モードの切り替えを許可する技術についての記載はされていない。
【０００６】
本発明は、上記の問題を解決するためになされたもので、原稿読み取り途中での読取モードの切り替えを可能とし、利便性の高い画像読取装置及び画像形成装置を提供することを目的とするものである。
【課題を解決するための手段】
【０００７】
請求項１に記載の発明における画像読取装置は、給紙された原稿の一方の面を読み取る第１読取手段と、前記原稿の他方の面を読み取る第２読取手段と、前記第１読取手段による前記原稿の一方の面の読み取りが終わった後、前記第１読取手段が該原稿の他方の面を読み取り可能なように該原稿を反転して給紙する反転手段と、前記第１読取手段が前記原稿の一方の面を読み取り、前記反転手段による該原稿の反転後に前記第１読取手段が該原稿の他方の面を読み取る両面反転読取モードと、前記第１読取手段が前記原稿の一方の面を読み取り、前記第２読取手段が該原稿の他方の面を読み取る両面同時読取モードのうち、何れか一方の読取モードを設定するモード設定手段と、前記モード設定手段によって設定された読取モードに従って、前記第１読取手段、前記第２読取手段及び前記反転手段に対して前記原稿の読み取りに関する制御を行う読取制御手段と、前記原稿の読み取りが行われている時、前記モード設定手段によって設定された読取モードと異なるもう一方の読取モードへの切り替えを指示する入力を受け付けるモード切替入力手段と、を備え、前記読取制御手段は、前記モード切替入力手段による前記指示入力の受付に応答して前記モード設定手段によって設定された読取モードと異なるもう一方の読取モードに切り替え、該切り替えた読取モードに従って前記第１読取手段、前記第２読取手段及び前記反転手段に対して前記原稿の読み取りに関する制御を行うことを特徴としている。
【０００８】
この請求項１に記載の発明によれば、ユーザが希望しない読取モードに設定されたまま原稿の読み取りが開始されたときや、ユーザが原稿の読み取り途中で読取モードを変更したくなったときでも、読取モードの変更を任意に行うことができるため、画像形成装置の利便性を向上させることができる。
【０００９】
ここで、請求項２に記載の発明のように、前記第１読取手段は縮小光学系イメージセンサを有し、前記第２読取手段は密着光学系イメージセンサを有することとしてもよいし、その逆であってもよい。更に、第１読取手段及び第２読取手段は同じイメージセンサであってもよい。
【００１０】
また、モード設定手段は、読取モードの選択がユーザの入力操作によってなされ、その入力操作に応じて何れか一方の読取モードを設定するものであってもよいし、予め定められた条件に応じて何れか一方の読取モードを自動的に設定するものであってもよい。
【００１１】
請求項３に記載の発明は、請求項１又は２に記載の画像読取装置であって、前記第１読取手段、前記第２読取手段によって前記原稿の読み取りが行われている時の前記読取モードの切り替えの許可又は不許可を設定する切替許可設定手段を更に備え、前記切替許可設定手段の設定が前記読取モードの切り替えを許可している場合、前記モード切替入力手段は前記読取モードの切り替えの指示入力を受け付け、前記切替許可設定手段の設定が前記読取モードの切り替えを許可していない場合、前記モード切替入力手段は前記読取モードの切り替えの指示入力を受け付けないことを特徴としている。
【００１２】
この請求項３に記載の発明によれば、原稿の読み取り途中で読取モードの切り替えの指示入力が誤って行われ、ユーザが希望しない読取モードで原稿の読み取りが行われてしまう等の操作ミスを未然に防ぐことができる。
【００１３】
請求項４に記載の発明は、請求項３に記載の画像形成装置であって、前記モード設定手段によって前記両面同時読取モードが設定されているとき、前記切替許可設定手段は前記読取モードの切り替えを許可しない設定にすることを特徴としている。
【００１４】
両面同時読取モードから両面反転読取モードへ読取モードを変更するということは、ユーザは印刷画像の高画質化を優先させたいと考えている場合が多い。しかし、原稿の読み取り途中で両面同時読取モードから両面反転読取モードへのモード切り替えを行っても、モード切り替え前に読み取られた画像は両面同時読取モードで読み取られた画像であるため、各画像の画質に差が生じてしまい、ユーザの希望を満足させることはできない。従って、両面同時読取モードから両面反転読取モードへの切り替えを不可とし、切り替えを指示する入力を受け付けない（禁止する）ことにより、読み取り失敗を未然に防ぐことができる。
【００１５】
請求項５に記載の発明は、請求項３又は４に記載の画像読取装置であって、前記切替許可設定手段は、前記読取モードの切り替えの許可又は不許可の選択入力を受け付け、該選択入力に応じて前記原稿の読み取りが行われている時の前記読取モードの切り替えの許可又は不許可を設定するものであることを特徴としている。
【００１６】
この請求項５に記載の発明によれば、読取モードの切り替え指示の受け付けの許可／不許可の選択がユーザによってなされることにより、例えば、ユーザが予め所望の読取モードを選択して原稿の読み取りを行わせている最中に、誤って（例えば他人によって）読取モードの切り替え操作がなされ、意図しない読取モードに切り換わってしまう事態を未然に防ぐことができる。
【００１７】
請求項６に記載の発明における画像形成装置は、請求項１から５の何れか一項に記載の画像読取装置と、前記第１読取手段及び前記第２読取手段によって取得された画像データに基づいて記録媒体に画像を形成する画像形成手段と、を備えたことを特徴としている。
【００１８】
この請求項６に記載の発明によれば、画像形成装置が備える画像読取装置が請求項１から５に記載の発明の作用効果を享受することができる。
【００１９】
請求項７に記載の発明における画像形成装置は、請求項３に記載の画像読取装置と、前記第１読取手段及び前記第２読取手段によって得られた画像データに基づいて白黒画像又はカラー画像を記録媒体に形成する画像形成手段と、を備え、前記画像形成手段によって前記白黒画像が形成され、且つ前記モード設定手段によって前記両面同時読取モードが設定されているとき、前記切替許可設定手段は前記読取モードの切り替えを許可しない設定にすることを特徴としている。
【００２０】
両面同時読取モードから両面反転読取モードへ切り替えて読み取られる画像の高画質化を図っても、読み取られた画像に基づいて白黒画像が形成される場合はその効果が顕著に表れない。むしろ、原稿の読取時間が長くなってしまうため、ユーザにとって効率的な原稿の読み取り・画像形成の処理が行われないことになる。そこで、白黒画像が形成される場合であり、且つ両面同時読取モードが設定されているときは、読取モードの切り替えを受け付けない（つまり、両面同時読取モードから両面反転読取モードへの切り替えを禁止する）ことにより、原稿の読み取りが非効率化することを防ぐことができる。
【発明の効果】
【００２１】
請求項１又は２に記載の発明によれば、ユーザが希望しない読取モードに設定されたまま原稿の読み取りが開始されたときや、ユーザが原稿の読み取り途中で読取モードを変更したくなったときでも、読取モードの変更を任意に行うことができるため、画像形成装置の利便性を向上させることができる。
【００２２】
請求項３に記載の発明によれば、原稿の読み取り途中で読取モードの切り替えの指示入力が誤って行われ、ユーザが希望しない読取モードで原稿の読み取りが行われてしまう等の操作ミスを未然に防ぐことができる。
【００２３】
請求項４に記載の発明によれば、両面同時読取モードから両面反転読取モードへの切り替えを指示する入力を受け付けない（切り替えを禁止する）ことにより、読み取り失敗を未然に防ぐことができる。
【００２４】
請求項５に記載の発明によれば、読取モードの切り替えの許可／不許可の選択がユーザの入力操作によって可能とすることにより、例えば、重要な書類の読み取りを行っている最中に、誤って読取モードの切り替えの操作入力がなされるなどの読み取り失敗を防ぐことができる。
【００２５】
請求項６に記載の発明によれば、画像形成装置が備える画像読取装置が請求項１から３に記載の発明の作用効果を享受することができる。
【００２６】
請求項７に記載の発明によれば、白黒画像が形成される場合であり、且つ両面同時読取モードが設定されているときは、読取モードの切り替えを受け付けない（つまり、両面同時読取モードから両面反転読取モードへの切り替えを禁止する）ことにより、原稿の読み取りが非効率化することを防ぐことができる。
【発明を実施するための最良の形態】
【００２７】
以下、本発明の一実施形態に係る画像読取装置及び画像形成装置について図面を参照して説明する。尚、以下の実施形態では、本発明における画像読取装置及び画像形成装置を、コピー、スキャナ、ファクシミリ、プリンタ等の機能を備えた複合機に集約した形態を例に説明する。
【００２８】
図１は本実施の形態における複合機１の内部構成を模式的に示した縦断面図である。複合機１は大きく分けると画像読取装置２と装置本体３とからなる。画像読取装置２は、原稿給紙部２１とスキャナ部２２を備えて構成される。原稿給紙部２１はＡＤＦを実現するものであり、原稿トレイ２１１、給紙ローラ２１２、搬送ドラム２１３、排紙ローラ２１４及び排紙トレイ２１５を有する。原稿トレイ２１１は原稿が載置される場所であり、原稿トレイ２１１に載置された原稿は１枚ずつ給紙ローラ２１２によって取り込まれて搬送ドラム２１３へ搬送される。搬送ドラム２１３を経由した原稿は排紙ローラ２１４によって排紙トレイ２１５へ排出される。
【００２９】
スキャナ部２２は、原稿の画像を光学的に取得して画像データを生成するものであり、プラテンガラス２２１、光源２２２、第１ミラー２２３、第２ミラー２２４、第３ミラー２２５、第１キャリッジ２２６、第２キャリッジ２２７、結像レンズ２２８、ＣＣＤ（Charge Coupled Device）２２９を有する。また、本実施の形態では、第１読取手段が有する縮小光学系イメージセンサとしてＣＣＤ２２９を用いたものを例に説明するが、ＣＣＤ以外にＣＭＯＳ（Complementary Metal Oxide Semiconductor）イメージセンサを用いたものであってもよい。
【００３０】
プラテンガラス２２１は原稿を載置する場所であり、光源２２２及び第１ミラー２２３は第１キャリッジ２２６によって支持され、第２ミラー２２４及び第３ミラー２２５は第２キャリッジ２２７によって支持されている。
【００３１】
ここで、画像読取装置２の原稿読取方法として、プラテンガラス２２１上に載置された原稿をスキャナ部２２が読み取るフラットベッド読取モードと、原稿をＡＤＦによって取り込み、その搬送途中で原稿を読み取るＡＤＦ読取モードがある。フラットベッド読取モードでは、光源２２２がプラテンガラス２２１上に載置された原稿を照射し、主走査方向１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。ＣＣＤ２２９は一次元のイメージセンサであり、１ライン分の原稿の画像を同時に処理する。１ライン分の読み取りが終了すると、主走査方向と直交する方向（副走査方向、矢印Ｙ方向）に第１キャリッジ２２６及び第２キャリッジ２２７が移動され、次のラインの読み取りが行われる。
【００３２】
ＡＤＦ読取モードでは、給紙トレイ２１１に載置された原稿が給紙ローラ２１２によって１枚ずつ取り込まれ、搬送ドラム２１３から排紙トレイ２１５への搬送経路に設けられた読取窓２３０上を原稿が通過するとき、光源２２２が原稿を照射し、主走査１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。続いて原稿は原稿給紙部２１によって搬送され、次のラインが読み取られる。尚、以下の説明において、特に記載のないものについては、ＡＤＦ読取モードによって原稿を自動給紙し、画像の読み取りを行うことを前提に説明を行う。
【００３３】
更に、原稿給紙部２１は切換ガイド２１６、反転ローラ２１７及び反転搬送路２１８からなる原稿反転機構（反転手段）を有する。１回目のＡＤＦ読み取りによって表面（原稿の一方の面）が読み取られた原稿を原稿反転機構を用いて反転させて再搬送することによって、再度ＣＣＤ２２９によって裏面（原稿の他方の面）の読み取りが行わせることができる。この原稿反転機構は、両面読み取り時にのみ動作し、片面読み取り時は動作しない。片面読み取り時及び両面読み取り時において裏面の読み取り後、切換ガイド２１６は上側に切り替えられ、搬送ドラム２１３を経た原稿は排紙ローラ２１４によって排紙トレイ２１５に排紙される。両面読み取り時における表面読み取り後、切換ガイド２１６は下側に切り替えられ、搬送ドラム２１３を経た原稿は反転ローラ２１７のニップ部へ搬送される。その後、切換ガイド２１６は上側へ切り替わって反転ローラ２１７が逆回転することにより、原稿は反転搬送路２１８を介して搬送ドラム２１３へ再搬送される。以下、原稿反転機構を用いて原稿の両面を読み取らせるモードを両面反転読取モード又は高画質モードと表記する。
【００３４】
更に、本実施の形態の画像読取装置２は、ＡＤＦ読取モード時において、上記で説明したように原稿の搬送途中でＣＣＤ２２９によって原稿の表面の読み取りを行わせると同時に、ＣＩＳ２３１によって原稿の裏面の読み取りを行わせることが可能である。つまり、給紙トレイ２１１から給紙された原稿は読取窓２３０上を通過するときにＣＣＤ２２９によって表面が読み取られ、更にＣＩＳ２３１を通過する際に裏面が読み取られる。このようにＣＣＤ２２９とＣＩＳ２３１を用いることでワンパスで原稿の両面の読み取りが可能となる。以下、ＣＣＤ２２９とＣＩＳ２３１を用いて原稿の両面を読み取らせるモードを両面同時読取モード又は高速モードと表記する。
【００３５】
ここで、両面反転読取モード（高画質モード）と両面同時読取モード（高速モード）について説明する。両面反転読取モードでは原稿両面の読み取りが同じイメージセンサ（ＣＣＤ２２９）によって行われるため、読み取った表裏面それぞれの画像の画質に差はない。しかし、両面同時読取モードでは原稿の表面はＣＣＤ２２９、裏面はＣＩＳ２３１という異なるイメージセンサで読み取りが行われるため、それぞれのイメージセンサが取得した画像データに基づいて両面印刷を行うと、両面の印刷画像の画質に差が生じてしまう。特にカラー印刷を行うと読み取った表裏面それぞれの画質の差が顕著に表れる。原因としては、スキャナ部２２は光源２２２として冷陰極蛍光管等の白色蛍光ランプを用いていることに対し、ＣＩＳ２３１は光源として３色ＬＥＤ等（不図示）を用いている。この光源の違いにより、スキャナ部２２による画像読み取りの方が色再現性に優れていることが知られている。また、これら各光源の分光分布の違いによるものの他に、ＣＣＤ２２９は複数の受光素子がワンチップ上に形成されてイメージセンサとして構成されているのに対し、ＣＩＳ２３１においては複数の固体撮像素子が連結されてイメージセンサとして構成されているため固体撮像素子間に感度のバラつきが生じ、これが画質の差の原因となっていると考えられている。
【００３６】
従って、本実施の形態の複合機１においては、ＡＤＦを用いて原稿の両面読み取りを行う際、ユーザは高画質モード（両面反転読取モード）又は高速モード（両面同時読取モード）の何れかを選択することができる。つまり、両面の印刷画像の画質を揃えたい場合は高画質モード（両面反転読取モード）、両面の印刷画像の画質に差はあっても、読取時間の短縮化を優先させたい場合は高速モード（両面同時読取モード）と、ユーザは状況に応じてモードを選択することができる。
【００３７】
尚、本実施の形態においては、スキャナ部２２は第１読取手段に相当し、ＣＩＳ２３１は第２読取手段に相当するものとして説明するが、その逆の構成であっても構わない。更に、第１読取手段及び第２読取手段が同じ光学系イメージセンサで構成されていても構わない（第１読取手段及び第２読取手段が同じ光学系イメージセンサであっても（例えば、スキャナ部２２もＣＩＳ２３１同様のコンパクトイメージセンサによって構成されている場合であっても）、構成する固体撮像素子の感度の違いや光源の微小な違いにより、原稿を両面同時読取モードで読み取ると両面の印刷画像の画質に差が生じる場合がある）。
【００３８】
複合機１の構成の説明に戻る。複合機１は、装置本体３と、装置本体３の左方に配設されたスタックトレイ６とを有している。装置本体３は、複数の給紙カセット４６１と、給紙カセット４６１から用紙（記録媒体）を１枚ずつ繰り出して記録部（画像形成手段）４０へ搬送する給紙ローラ４６２と、給紙カセット４６１から搬送されてきた用紙に画像を形成する記録部４０とを備える。更に手差しトレイ４７１を備え、この手差しトレイ４７１からは何れの給紙カセットにも収納されていないサイズの用紙や、既に一方の面に画像形成がなされている用紙（裏紙）、ＯＨＰシートのような任意の記録媒体が載置可能であり、給紙ローラ４７２によって１枚ずつ装置本体３内に給紙される。
【００３９】
記録部４０は、感光体ドラム４３の表面から残留電荷を除電する除電装置４２１と、除電後の感光体ドラム４３の表面を帯電させる帯電装置４２２と、スキャナ部２２で取得された画像データに基づいてレーザ光を出力して感光体ドラム４３表面を露光し、感光体ドラム４３の表面に静電潜像を形成する露光装置４２３と、上記静電潜像に基づいて感光体ドラム４３上に、シアン（Ｃ）、マゼンタ（Ｍ）、イエロー（Ｙ）及びブラック（Ｋ）の各色のトナー像を形成する現像装置４４Ｃ、４４Ｍ、４４Ｙ、４４Ｋと、感光体ドラム４３に形成された各色のトナー画像が転写されて重ね合わせされる転写ドラム４９と、転写ドラム４９上のトナー像を用紙に転写させる転写装置４１と、トナー像が転写された用紙を加熱してトナー像を用紙に定着させる定着装置４５とを備えている。なお、シアン、マゼンタ、イエロー及びブラックの各色に対するトナーの供給は、不図示のトナー供給容器（トナーカートリッジ）から行われる。また、記録部４０を通過した用紙をスタックトレイ６又は排出トレイ４８まで搬送する搬送ローラ４６３及び４６４等が設けられている。
【００４０】
用紙の両面に画像を形成する場合は、記録部４０によって用紙の一方の面に画像の形成が施された後、この用紙を排出トレイ４８側の搬送ローラ４６３にニップされた状態にする。この状態で搬送ローラ４６３を逆回転させて用紙をスイッチバックさせ、用紙を用紙搬送路Ｌに送って記録部４０の上流域に再度搬送し、記録部４０によって他方の面に画像の形成が施された後、用紙をスタックトレイ６又は排出トレイ４８に排出する。
【００４１】
また、装置本体３の前方には、ユーザが操作画面や各種メッセージ等を視認することができる表示部や、種々の操作命令を入力するための操作ボタンを有する操作部（モード切替入力手段）５が備えられている。図２は操作部５の正面図の一例である。この操作部５は、表示部５１、タッチパネル５２、数字キー群５３、各種操作ボタン５４〜５７、機能選択ボタン５８等を備える。表示部５１は、ＬＣＤ（Liquid Crystal Display）やＥＬＤ（Electronic Luminescent Display）等によって構成され、紙サイズ選択、倍率選択、濃度選択等の選択画面が表示される。この表示部５１はタッチパネル５２と一体的に形成されている。タッチパネル５２は、ユーザによるタッチ操作がなされたら、タッチ位置を検出して検出信号を後述する制御部へ出力するものである。
【００４２】
数字キー群５３は、例えば、複合機１のコピー機能動作中はコピー枚数を、ファクシミリ機能動作中は送信先の電話番号等をユーザが入力するためのものである。節電ボタン５４は、複合機１を節電（低電力）モードにするボタンである。スタートボタン５５はコピー動作やスキャナ動作等を開始させるボタンであり、ストップ／クリアボタン５６はコピー動作やスキャナ動作等の停止、入力操作の取り消しを行うボタンである。リセットボタン５７は表示部５１の表示や各種設定を初期状態又は標準動作状態にするボタンである。機能選択ボタン５８は、コピー機能、プリンタ機能、スキャナ機能、ファクシミリ機能を設定するためのボタンである。
【００４３】
また、操作部５００の正面右側には自動カラーボタン９１、フルカラーボタン９２及び白黒ボタン９３が配置されている。各ボタンは印刷カラーモードを設定するためのものであり、フルカラー印刷を行いたい場合はフルカラーボタン９２を、白黒印刷を行いたい場合は白黒ボタン９３がユーザによって押下されることにより、各印刷が実現される。自動カラーボタン９１は、ＡＣＳ（Auto Color Selection：自動カラー選択機能）によって白黒原稿又はカラー原稿を自動的に判別するボタンであり、判別結果に応じて自動的に白黒／カラー印刷が行われる。各ボタンには例えばＬＥＤ等の発光素子が内蔵或いは各ボタン周辺にそれぞれ配設されており、ＬＥＤの発光状態によってそのボタンの選択状態をユーザが視認できるようになっている。
【００４４】
図３は、複合機１の電気的構成を示すブロック図である。複合機１は、原稿給紙部２１、スキャナ部２２、ＣＩＳ２３１、操作部５、制御部（モード設定手段、読取制御手段、切替許可設定手段）６１、画像処理部６４、記録部４０及び通信部６５を備えて構成される。尚、図１及び図２において説明した構成要素と同じものには同じ符号を付して詳しい説明を省略する。
【００４５】
原稿給紙部２１は、原稿トレイ２１１に載置された原稿を自動的に取り込んで、ＣＣＤ２２９やＣＩＳ２３１による原稿の読み取りが可能なように搬送するものであり、ＡＤＦを実現するものである。スキャナ部２２及びＣＩＳ２３１は、原稿の画像を光学的に取得して画像データを生成するものである。
【００４６】
操作部５は、コピー機能、スキャナ機能、ファクシミリ機能及びプリンタ機能等に関する操作入力を受け付けるものである。そして操作入力に応じた操作信号を制御部６１へ出力する。操作部５は、図２に示すタッチパネル５２、数字キー群５３、操作ボタン５４〜５７、機能選択ボタン５８等に相当し、更に操作部５は表示部５１を含む。ユーザが表示部５１に表示された操作キーの上を押下すると、表示部５１と一体的に構成されたタッチパネル５２が押下された位置を検出し、位置情報を制御部６１へ出力する。そして制御部６１によって押下されたキーに対応する処理が行われる。
【００４７】
制御部６１は、ＣＰＵ等によって構成され、入力された指示信号等に応じて所定のプログラムに基づいた処理を実行し、各機能部への指示信号の出力、データ転送等を行って複合機１を統括的に制御するものである。具体的には、ユーザによって操作部５から原稿の両面読み取りの指示入力がなされると、制御部６１は両面反転読取モード又は両面同時読取モードの何れか一方をユーザに選択させるための選択キーを表示部５１に表示させる。そしてユーザの選択入力に基づいて読取モードを設定し、スタートボタン５５の押下によるコピー開始の指示操作に応じて、原稿給紙部２１、スキャナ部２２及びＣＩＳ２３１を制御して原稿の読み取りを行わせる。
【００４８】
更に、原稿の読み取り中、制御部６１は表示部５１にモード切替キーを表示させ、原稿の読み取り途中での読取モードの切り替えの指示入力の受付を行う。このモード切替キーがユーザに押下されると、制御部６１は読取モードを変更し、変更した読取モードに従って原稿給紙部２１、スキャナ部２２、ＣＩＳ２３１を制御して、引き続き原稿の読み取りを行わせる。例えば、スタートボタン５５を押下して原稿の読み取りが開始された後にユーザが読取モードの選択ミスに気づくケースや、最初は両面反転読取モード（高画質モード）で原稿の読み取りを行わせていたが、原稿の枚数が大量な為、読み取り途中で読取時間を短縮させたくなり、両面同時読取モード（高速モード）に変更したいケースや、最初は両面同時読取モード（高速モード）でカラー原稿の読み取りを行わせていたが、途中で画質の一致を優先させたくなり、両面反転読取モード（高画質モード）に変更したいケース等、原稿の読み取り途中で読取モードを切り替えたい場面が少なからず発生しうる。そこで、表示部５１にモード切替キーを表示させ、そのモード切替キーの操作に応じて原稿の読み取り途中での読取モードの切り替えを可能とすることで、複合機１の利便性を高めることができる。
【００４９】
画像処理部６４は、画像データに関する各種画像処理を行うものである。例えば、画像処理部６４は、スキャナ部２２によって取得された画像データや、外部装置から通信部６６を介して転送された画像データに対して、レベル補正、ガンマ補正等の補正処理、画像データの圧縮又は伸長処理、拡大又は縮小処理などの画像加工処理を行う。
【００５０】
記録部４０は、スキャナ部２２によって得られた画像データや、外部装置から通信部６６を介して転送された画像データに基づいた画像を所定の用紙に白黒又はカラーで印刷する。
【００５１】
通信部６５は、ネットワークインターフェースを用い、ネットワークを介して接続されたコンピュータやファクシミリ等の外部装置との間で種々のデータの送受信を行うものである。
【００５２】
図４〜８は、表示部５１の画面例を示したものであり、図９は原稿の両面をＡＤＦで読み取り、印刷する処理の流れを示したフローチャートである。本実施の形態における両面印刷の処理の流れを図４〜９を用いて説明する。
【００５３】
複合機１のコピー機能が選択されているとき、制御部６１は図４に示すような標準画面を表示部５１に表示させる。標準画面では紙サイズ選択、倍率選択、濃度選択等の操作キーが表示される。そして、ユーザによって機能リストキー１０１が押下されると、制御部６１は図５に示すような機能リスト画面を表示部５１に表示させる。更にユーザによって両面／分割キー１０２が押下されると、制御部６１は図６に示すような両面／分割画面を表示部５１に表示させる。
【００５４】
両面／分割画面では、原稿の片面を読み取って片面印刷するキー１０３、原稿の片面を読み取って両面印刷するキー１０４、原稿の両面を読み取って片面印刷するキー１０５、原稿の両面を読み取って両面印刷するキー１０６、見開き原稿を読み取って片面印刷するキー１０７、見開き原稿を読み取って両面印刷するキー１０８等の設定キーが表示される。キー１０５又はキー１０６が選択されると、制御部６１は図７に示すように表示部５１の表示領域の中央部付近に高画質モードキー１０９と高速モードキー１１０のモード選択キーを表示させる（図９のステップＳ１１）。そしてユーザによって選択されたキーに従って、制御部６１は読取モードを設定する（ステップＳ１２、Ｓ１３）。つまり、ユーザが高画質モードキー１０９を選択した場合、制御部６１は読取モードを両面反転読取モードに設定し、ユーザが高速モードキー１１０を選択した場合、制御部６１は読取モードを両面同時読取モードに設定する。
【００５５】
そして、ユーザによってスタートボタン５５が押下されると（ステップＳ１４；ＹＥＳ）、制御部６１は図８に示すような表示画面を表示部５１に表示させる。同時にステップＳ１３において設定された読取モードに基づいて、制御部６１は原稿給紙部２１に対して原稿の取り込ませて搬送させ（ステップＳ１５）、スキャナ部２２及びＣＩＳ２３１に対して原稿の画像の読み取りを行わせる（ステップＳ１６）。つまり、ステップＳ１３において両面反転読取モードが設定された場合、制御部６１は給紙された原稿の表面をＣＣＤ２２９に読み取らせ、原稿反転機構が原稿を表裏反転して再給紙した後、続けてＣＣＤ２２９に原稿の裏面を読み取らせて、原稿を排紙トレイ２１５に排紙させる。ステップＳ１３において両面同時読取モードが設定された場合、制御部６１は給紙された原稿の表面をＣＣＤ２２９に読み取らせ、裏面をＣＩＳ２３１に読み取らせて、原稿を排紙トレイ２１５に排紙させる。
【００５６】
原稿トレイ２１１に原稿がまだある場合（ステップＳ１７；ＹＥＳ）、制御部６１はユーザによってモード切替キー１１１が押下されたか否かを判別する（ステップＳ１８）。モード切替キー１１１は、原稿の読み取り途中に押下すると読取モードが変更するキーである。モード切替キー１１１が押下された場合（ステップＳ１８；ＹＥＳ）、制御部６１は読取モードを切り替える（ステップＳ１９）。つまり、ステップＳ１３において両面反転読取モードが設定されていた場合は両面同時読取モードに、両面同時読取モードに設定されていた場合は両面反転読取モードに切り替える。そして、ステップＳ１５へ処理を移行する。モード切替キー１１１の押下がない場合は（ステップＳ１８；ＮＯ）、制御部はそのままステップＳ１５へ処理を移行する。
【００５７】
原稿トレイ２１１に原稿がなくなったら、つまり、全ての原稿の読み取りが終了したら（ステップＳ１７；ＮＯ）、制御部６１は画像処理部６４に対してＣＣＤ２２９及びＣＩＳ２３１によって取得された画像データの画像処理を行わせ、処理後の画像データに基づいた画像の印刷を記録部４０に行わせる（ステップＳ２０）。そして処理を終了する。尚、他の原稿の読み取り途中であっても、両面読み取りが完了した原稿に対応する画像から随時印刷を行うようにしてもよい。
【００５８】
以上、説明したように、原稿の読み取り途中でユーザがモード切替キー１１１を押下すると、読取モードが変更されて、変更された読取モードに従って引き続き原稿の読み取りが行われることにより、ユーザが読取モードを誤って選択したまま原稿の読み取りを開始したときや、原稿の読み取り途中で読取モードを変更したくなったときでも、読取モードの変更を自由に行うことができる。従って、ユーザにとって使い勝手のよい複合機１を実現することができる。
【００５９】
尚、本発明は上記実施の形態の構成に限られず種々の変形が可能である。以下、変形例１〜３について説明する。
【００６０】
＜変形例１＞
原稿の読み取り途中での読取モードの切り替えを設定するための切替許可設定手段としてキャンセルキーを設け、キャンセルキーがオンの場合は原稿の読み取り途中におけるモード切替キー１１１の操作を許可し、キャンセルキーがオフの場合は原稿の読み取り途中におけるモード切替キー１１１の操作を許可しない（禁止する）設定とする。例えば、重要な書類の読み取りを行うときにキャンセルキーをオンにすることにより、読み取り途中での読取モードの切り替えを防ぐことができる。その他、ユーザの誤操作によって希望しない読取モードで原稿の読み取りが行われてしまう等の読み取りミスを防ぐことができる。このキャンセルキーは表示部５１に表示され、ユーザがタッチパネル５２を操作することによってオン／オフの設定が行われてもよいし、ハードキーとして操作部５に配置されてもよい。
【００６１】
＜変形例２＞
上記では両面反転読取モードから両面同時読取モード、両面同時読取モードから両面反転読取モードの何れのモード切り替えも可能であることとして説明したが、両面同時読取モードから両面反転読取モードへの切り替えは禁止することとしてもよい。両面同時読取モードから両面反転読取モードへ読取モードを変更するということは、ユーザは印刷画像の高画質化を優先させたいと考えている場合が多い。しかし、原稿の読み取り途中で両面同時読取モードから両面反転読取モードへのモード切り替えを行っても、モード切り替え前に読み取られて印刷された画像は両面同時読取モードで読み取られた画像に基づいているため、印刷画像の画質に差が生じてしまい、ユーザの希望を満足させることはできない。そこで、両面同時読取モードから両面反転読取モードへの切り替えは禁止することにより、読み取り・印刷失敗を未然に防ぐことができる。
【００６２】
変形例２における切替許可設定手段は図３における制御部６１に相当する。即ち、両面反転読取モードが設定されているときは制御部６１は読取モードの切り替えを許可する設定にし、両面同時読取モードが設定されているときは制御部６１は読取モードの切り替えを不許可（禁止）にする設定にする。
【００６３】
図１０は、原稿読み取り途中に表示部５１に表示される画面例である。例えば、両面同時読取モードで原稿の読み取りが行われている途中、ユーザによってモード切替キー１１１が押下された場合、制御部６１は両面同時読取モードから両面反転読取モードへの切り替えを受け付けないことをユーザに報知するためのメッセージを表示部５１の領域１２１に表示させる。また、両面同時読取モードで原稿の読み取りが行われている際は、モード切替キー１１１を非表示にする、又は色を変えて表示する等して当該キーは操作できないことをユーザが視認できるようにしてもよい。
【００６４】
図１１は、上記説明した変形例１に基づいて、原稿の両面をＡＤＦで読み取り、印刷する処理の流れを示したフローチャートである。尚、ステップＳ１１からステップＳ１８、及びステップＳ２０については図９のフローチャートで示したステップと同じであるため、説明を省略し、異なる部分のみ説明する。
【００６５】
原稿の読み取り途中にユーザによってモード切替キー１１１が押下され（ステップＳ１８；ＹＥＳ）、現在の読取モードが両面反転読取モードである場合（ステップＳ３１；高画質モード）、制御部６１は読取モードを両面同時読取モード（高速モード）に切り替える（ステップＳ３２）。そして、ステップＳ１５へ処理を移行する。一方、現在の読取モードが両面同時読取モードである場合（ステップＳ３１；高速モード）、制御部６１は読取モードの切り替えが不可であることをユーザに報知するメッセージを表示部５１に表示させ（ステップＳ３３）、読取モードの切り替えは行わずにステップＳ１５へ処理を移行する。
【００６６】
＜変形例３＞
変形例２では両面同時読取モードから両面反転読取モードへの切り替えは禁止する場合について説明したが、印刷カラーモードが白黒モードである場合にのみ両面同時読取モードから両面反転読取モードへの切り替えを禁止することとしてもよい。各印刷カラーモードは、操作部５のフルカラーボタン９２及び白黒ボタン９３によってユーザが任意に選択できる。
【００６７】
例えば、原稿が両面同時読取モードで読み取られており、印刷カラーモードがカラーモードである場合、ユーザが印刷画像の高画質化を優先させたいと思う場面も発生しうる。従って、印刷カラーモードがカラーモードである場合は、原稿の読み取り途中での両面同時読取モードから両面反転読取モードへの切り替えを受け付ける。
【００６８】
一方、印刷カラーモードが白黒モードである場合、両面同時読取モードから両面反転読取モードへ切り替えて読み取られる画像の高画質化を図っても、印刷される画像が白黒であるため、その効果が顕著に表れない。むしろ、読取時間が長くなってしまうため、ユーザにとって効率的な原稿の読み取り・印刷処理が行われない。そこで、印刷カラーモードが白黒モードである場合にのみ両面同時読取モードから両面反転読取モードへの切り替えを禁止する。
【００６９】
変形例３における切替許可設定手段は図３における制御部６１に相当する。即ち、両面反転読取モードが設定されているときは制御部６１は読取モードの切り替えを許可する設定にし、両面同時読取モードが設定されており、且つ印刷カラーモードが白黒モードであるときは制御部６１は読取モードの切り替えを不許可（禁止）にする設定にする。
【００７０】
図１２は、原稿読み取り途中に表示部５１に表示される画面例である。例えば、両面同時読取モードで原稿の読み取りが行われており、白黒モードで画像の印刷が行われる設定になっている場合、ユーザによってモード切替キー１１１が押下されると、制御部６１は両面同時読取モードから両面反転読取モードへの切り替えを受け付けないことをユーザに報知するためのメッセージを表示部５１の領域１２１に表示させる。また、両面同時読取モードで原稿の読み取りが行われている際は、モード切替キー１１１を非表示にする、又は色を変えて表示する等して当該キーは操作できないことをユーザが視認できるようにしてもよい。
【００７１】
図１３は、上記説明した変形例１に基づいて、原稿の両面をＡＤＦで読み取り、印刷する処理の流れを示したフローチャートである。尚、ステップＳ１１からステップＳ１８、及びステップＳ２０については図９のフローチャートで示したステップと同じであるため、説明を省略し、異なる部分のみ説明する。
【００７２】
原稿の読み取り途中にユーザによってモード切替キー１１１が押下され（ステップＳ１８；ＹＥＳ）、現在の読取モードが両面反転読取モードである場合（ステップＳ３１；高画質モード）、制御部６１は読取モードを両面同時読取モード（高速モード）に切り替える（ステップＳ３２）。そして、ステップＳ１５へ処理を移行する。
【００７３】
一方、現在の読取モードが両面同時読取モードであって（ステップＳ３１；高速モード）、印刷カラーモードがカラーモードである場合（ステップＳ４１；カラー）、制御部６１は読取モードを両面反転読取モード（高画質モード）に切り替える（ステップＳ４２）。そしてステップＳ１５へ処理を移行する。印刷カラーモードが白黒モードである場合（ステップＳ４１；白黒）、制御部６１は読取モードの切り替えが不可であることをユーザに報知するメッセージを表示部５１に表示させ（ステップＳ４３）、読取モードの切り替えは行わずに両面同時読取モードのままステップＳ１５へ処理を移行する。
【図面の簡単な説明】
【００７４】
【図１】複合機の内部構成を示した縦断面図。
【図２】操作部の正面図。
【図３】複合機の電気的構成を示すブロック図。
【図４】表示部の画面例。
【図５】表示部の画面例。
【図６】表示部の画面例。
【図７】表示部の画面例。
【図８】表示部の画面例。
【図９】コピー処理の流れを示したフローチャート。
【図１０】変形例２における表示部の画面例。
【図１１】変形例２におけるコピー処理の流れを示したフローチャート。
【図１２】変形例３における表示部の画面例。
【図１３】変形例３におけるコピー処理の流れを示したフローチャート。
【符号の説明】
【００７５】
１      複合機                          ３      画像形成装置
２      画像読取装置                    ６１    制御部
２１    原稿給紙部                      ４０    記録部
２１１  原稿トレイ                      ６５    通信部
２２    スキャナ部
２２２  光源
２２９  ＣＣＤ
２３１  ＣＩＳ
【図１】
2009088597.tif 000003
【図２】
2009088597.tif 000004
【図３】
2009088597.tif 000005
【図４】
2009088597.tif 000006
【図５】
2009088597.tif 000007
【図６】
2009088597.tif 000008
【図７】
2009088597.tif 000009
【図８】
2009088597.tif 000010
【図９】
2009088597.tif 000011
【図１０】
2009088597.tif 000012
【図１１】
2009088597.tif 000013
【図１２】
2009088597.tif 000014
【図１３】
2009088597.tif 000015